(57)【要約】      （修正有）【課題】作業者側の環境に対し、衛生的に遮断する立体空間を瞬時に作り、双方向に対し細菌、汚れ等の影響が軽減され、また廃棄時にはエリア内の汚れが飛散する事無く瞬時にコンパクト化し、分別やリサイクルを容易にする衛生作業容器の提供。【解決手段】透明フィルムからなる容器外郭とそれに内接される透明フィルムからなる空洞骨格体を具備し、その支柱をエアーで膨らませて密閉された立体的空間を形成する。容器外郭側面には作業者の手を入れる手袋が容器と一体形成される。形成されるフィルムは透明フィルムを使用し視界を妨げない。【選択図】図１
0003117654.tif 000002
【実用新案登録請求の範囲】
【請求項１】
透明又は半透明の合成樹脂製フィルムでしかも内部に空気を封入してドーム型に容器本体を形成する骨格空洞体と、このドーム型空洞骨格体の全面を囲繞すると共に、少なくともその一面に作業時の腕が挿入できる作業孔を設けた透明又は半透明の合成樹脂製フィルム製の外側皮膜シートとで成したことを特徴とする衛生作業用容器。
【請求項２】
ドーム型空洞骨格体を構成する頂部空洞及び両下辺空洞、その三者を連ねる左右側辺空洞にて囲まれた空間部を該空洞骨格体と一体に同一材料にて薄膜を形成したことを特徴とする請求項１記載の衛生作業用容器。
【請求項３】
ドーム型空洞骨格体を構成する頂部空洞及び両下辺空洞、その三者を連ねる左右側辺空洞の夫々を連通する様に空気取り入れ口を設けたことを特徴とする請求項１から２記載の衛生作業用容器。
【請求項４】
ドーム型空洞骨格体を構成する頂部空洞及び両下辺空洞、その三者を連ねる左右側辺空洞にて囲まれた空間部を該空洞骨格体の中間部を両端に比し太径としたことを特徴とした請求項１から３記載の衛生作業用容器。
【請求項５】
透明又は半透明の合成樹脂製外側皮膜シートの作業孔の孔縁に該シートと同一材料の作業用手袋の腕挿入口縁を熱溶着して成したことを特徴とした請求項１から４記載の衛生作業用容器。
【請求項６】
二枚の透明又は半透明の合成樹脂製フィルムを重ね合わせるとともに、頂部空洞及び両下辺空洞、その三者を連ねる左右側辺空洞の各々の外周を熱溶着した請求項１から５記載の衛生作業用容器。
【考案の詳細な説明】
【技術分野】
【０００１】
本考案は、フィルムで密閉された衛生作業空間を作り出す容器に関するものである。
【０００２】
【特許文献１】特開平９-２０６３４号公報
【背景技術】
【０００３】
作業環境において汚れを防止するために作業空間を囲んで汚れ飛散防止を図ることがある。また感染防止の観点から未熟児をガードする時にも保育器等が使用されている。それらは視界を妨げない透明シートやプレートで覆われ、処置を施すための手を入れる孔が開けられている。しかし、一度使用して汚れた場合、次に使用するための消毒作業に手間を要し、二次感染の原因になっていた。
【考案の開示】
【考案が解決しようとする課題】
【０００４】
本考案の目的は、作業者側の環境に対し、衛生的に遮断する空間をワンタッチで作り、双方向に対し細菌、汚れ等の影響が軽減され、また廃棄時の分別やリサイクルを容易にする容器を提供することにある。
【課題を解決するための手段】
【０００５】
透明フィルムよりなる容器外郭と透明フィルムよりなる空洞骨格体で構成し、容器外側と内側を衛生的に遮断する。
【考案の効果】
【０００６】
請求項１により、容器外側と内側を衛生的に遮断するため、双方向に細菌、汚れの影響を軽減する。小規模な手術時、手術室のような大きなエリアが不要になり消毒の手間が軽減される。また、軟質フィルムで形成し、空気圧によって所望の形状に形作りすることが出来、しかも軽量化出来る。また、作業終了後は空気を抜くことによって嵩ばることなく廃棄処理が簡単である。同一材料で形成される為、分別回収の手間が無く、焼却も容易。また、内側の汚れ等が廃棄時も飛散し難い。
請求項２により、加工工程数が軽減されコスト安になる。また、ドーム型空洞骨格体と外側皮膜シートとが連続しているため、繋ぎ加工数が減り、密閉性が向上する。
請求項３により、空気圧のばらつきが防止されて常に最適な立体形状が再現される。また、空気充填が一つの作業で完成するため、作業の省力化が図られ、救急病院の急患等、急を要する場合の作業マニュアルの単純化が図られるため、迅速な作業が出来ると同時にうっかりミス防止になる効果がある。
請求項４により、左右側辺空洞部から離れた部分の特にスパン中央部付近にかかる垂直荷重による変形を阻止すると共に外側皮膜シートに張りを持たせて皺や波打ちを作らず、外側から空間部内側への視界を見易くする効果を有する。
請求項５により、作業者は手袋というフィルムを経由して空間内部に手を差し入れるため、内外に対し汚染させる事が無い。また、合成樹脂製皮膜シートの作業孔の孔縁と作業用の腕挿入口縁とに連続した熱圧着を施すことにより、皮膜シート内で汚染物が激しく飛散した場合でも連続した合成樹脂製皮膜シートの外には影響を及ぼさない。また空気感染等も防止できる。小規模な手術時、手術室のような大きなエリアが不要になり消毒の手間が軽減される。
請求項６により、段差や不連続面無く熱シールが出来るため、空気密閉性が増し、空気圧を上げて剛性を高めることが出来る。
【考案を実施するための最良の形態】
【０００７】
図１は本考案の衛生作業用容器の外形を示す斜視図である。衛生容器本体Ｘは容器外郭１の内側に予め空洞骨格体３装着されている。具体的には透明又は半透明の合成樹脂製フイルムを表生地３ｂと裏生地３ｂを重ね合わせ、熱溶着によって頂部空洞３Ｙ及び両下辺空洞部３Ｘ、３Ｘ、更にはその三者を連ねる左右側辺空洞３Ｚとしている。又、空洞骨格体３には逆止弁４が接着され、その逆止弁入れ口を容器外郭１の外側に突出させ、外側から空気を注入出来る様に構成される。容器外郭１の側面には作業者が容器内に手を入れて作業をするための孔１３ｅが開けられ、その腕挿入孔縁に手袋５が接着されている。また、容器外郭１の側面には作業に必要な器材又は作業に不要な廃棄物を出し入れするための搬入出孔７が設けられる。また、容器外郭１の側面には容器内の廃棄物等を収納するダストボックス８を接着させる構造とする。
尚、容器外郭１の底面１２にはカテーテル挿入孔６が開けられており、カテーテル手術時にその孔からカテーテルを患者の静脈に挿入させるように構成されている。
図２は容器外郭１を構成するフィルムの展開図である。三角形10，14、四角形11，12，13の５面で構成される。四角形１１には搬入出孔７が開けられ、ダストボックス８が接着される。底面四角形１２にはカテーテル挿入孔６が開けられる。側面四角形1３には手袋接着用孔13ｅが開けられる。それぞれ稜辺10ａと稜辺11ｃ、稜辺10ｂと稜辺13ａ、稜辺11ｂと稜辺13ｂとを接着させる構造とする。
稜辺11ａと稜辺14ｂ、及び稜辺13ｃと稜辺14ａは空洞骨格体３を容器外郭１に入れ込んでから接着する構造とする。また、空洞骨格体３に接着させた逆止弁４はその入り口を稜辺13ｃ上に設けたえぐり13ｄと稜辺14ａ上に設けたえぐり14ｃによって容器外郭１の外側に露出させ、容器外郭１に空洞骨格体３を挿入封印した後でも外側から空気を注入可能にする構造とする。
図３は空洞骨格体３を構成するフィルムの展開図である。空洞骨格体３は表生地3ａと裏生地3ｂの間に逆止弁４を挟んで接着させて袋状に構成する。接着後は空間部２、２をくり抜いて形成する構造とする。また、容器外郭１と空洞骨格体３とを一体に同一材料として形成する場合は台形部分3ｃ、3ｄは残す。
図４は図３のＢ-Ｂ方向から見た断面図である。表生地3ａの両サイドに外側シールしろ3ａ1、内側シールしろ3ａ2を、裏生地3ｂの両サイドに外側シールしろ3ｂ1、内側シールしろ3ｂ2を持ち、それぞれ表生地3ａの両サイドの外側シールしろ3ａ1と裏生地3ｂの両サイドの外側シールしろ3ｂ1、及び表生地3ａの両サイドの内側シールしろ3ａ2と裏生地3ｂの両サイドの外側シールしろ3ｂ2が接着される構造とする。
図５は容器外郭１側面に手袋５を接着した図１のＡ-Ａ方向から見た断面図である。容器外郭１に空けられた孔13ｅに手袋５を熱溶着させて、作業者の手Ｔが汚染されない様に保護される。
図６はカテーテル手術時の患者と容器外郭の位置関係を示す立面図である。患者Ｈの上に衛生容器本体Ｘを乗せるが、患者Ｈの股関節大静脈付近にカテーテル挿入用孔６が位置する様に調整する。カテーテル挿入用孔６は作業中に患部とずれないように患者の皮膚接触面側に粘着材を塗布してもよい。また、空洞骨格体３の両下辺空洞３Ｘは患者Ｈと平行に位置するため、患者Ｈの股関節大静脈付近体形の凹凸に容器外郭１底部の形状とが馴染む事が出来る。患者Ｈの作業者の手Ｔは患者Ｈとは手袋５を改して接触して、直接触れる事は無い。また、必要器材は搬入出孔７から衛生容器本体Ｘ内に入れ、作業中に発生した廃棄物はダストボックス８に一旦格納することが出来る。搬入出孔７もダストボックス８も作業者の手Ｔが届く位置に付けておけば、衛生容器本体Ｘ内で自由に作業ができる。作業が終われば、作業者の手Ｔを手袋５から抜き去り、空洞骨格体３の上部の一部をパンクさせて、空気を排気させ、容器外郭１の連続した密閉性を維持したまま衛生容器本体Ｘの体積を減らすことにより、汚染物の飛散を軽減して排気処理する事が出来る。  
【図面の簡単な説明】
【０００８】
【図１】本考案の衛生作業用容器の外形を示す斜視図である。
【図２】容器外郭を構成するフィルムの展開図である。
【図３】空洞骨格体の展開図である。
【図４】図３のＢ−Ｂから見た断面図である。
【図５】図１のＡ-Ａから見た断面図である。
【図６】カテーテル手術時の患者と容器外郭の位置関係を示す立面図である。
【符号の説明】
【０００９】
１  容器外郭
２  空間部
３  空洞骨格体
３Ｘ  両下辺空洞
３Ｙ  頂部空洞
３Ｚ  左右側辺空洞
４  逆止弁
５  手袋
６  カテーテル挿入用孔
７  搬入出孔
８  ダストボックス
Ｘ  衛生容器本体
Ｂ  ベッド
Ｈ  患者
Ｔ  作業者の手
【図１】
0003117654.tif 000003
【図２】
0003117654.tif 000004
【図３】
0003117654.tif 000005
【図４】
0003117654.tif 000006
【図５】
0003117654.tif 000007
【図６】
0003117654.tif 000008
【手続補正書】
【提出日】平成17年11月7日(2005.11.7)
【手続補正１】
【補正対象書類名】明細書
【補正対象項目名】０００７
【補正方法】変更
【補正の内容】
【０００７】
図１は本考案の衛生作業用容器の外形を示す斜視図である。衛生容器本体Ｘは容器外郭１の内側に予め空洞骨格体３装着されている。具体的には透明又は半透明の合成樹脂製フィルムを表生地３ｂと裏生地３ｂを重ね合わせ、熱溶着によって頂部空洞３Ｙ及び両下辺空洞部３Ｘ、３Ｘ、更にはその三者を連ねる左右側辺空洞３Ｚとしている。又、空洞骨格体３には逆止弁４が接着され、その逆止弁入れ口を容器外郭１の外側に突出させ、外側から空気を注入出来る様に構成される。容器外郭１の側面には作業者が容器内に手を入れて作業をするための孔１３ｅが開けられ、その腕挿入孔縁に手袋５が接着されている。
図２は容器外郭１を構成するフィルムの展開図である。三角形10,14、四角形11、12,13の５面で構成される。側面四角形1３には手袋接着用孔13ｅが開けられる。それぞれ稜辺10ａと稜辺11ｃ、稜辺10ｂと稜辺13ａ、稜辺11ｂと稜辺13ｂとを接着させる構造とする。
稜辺11ａと稜辺14ｂ、及び稜辺13ｃと稜辺14ａは空洞骨格体３を容器外郭１に入れ込んでから接着する構造とする。また、空洞骨格体３に接着させた逆止弁４はその入り口を稜辺13ｃ上に設けたえぐり13ｄと稜辺14ａ上に設けたえぐり14ｃによって容器外郭１の外側に露出させ、容器外郭１に空洞骨格体３を挿入封印した後でも外側から空気を注入可能にする構造とする。
図３は空洞骨格体３を構成するフィルムの展開図である。空洞骨格体３は表生地3ａと裏生地3ｂの間に逆止弁４を挟んで接着させて袋状に構成する。接着後は空間部２、２をくり抜いて形成する構造とする。また、容器外郭１と空気注入連続支柱３とを一体に同一材料として形成する場合は台形部分3ｃ、
3ｄは残す。
図４は図３のＢ-Ｂ方向から見た断面図である。表生地3ａの両サイドに外側シールしろ3ａ1、内側シールしろ3ａ2を、裏生地3ｂの両サイドに外側シールしろ3ｂ1、内側シールしろ3ｂ2を持ち、それぞれ表生地3ａの両サイドの外側シールしろ3ａ1と裏生地3ｂの両サイドの外側シールしろ3ｂ1、及び表生地3ａの両サイドの内側シールしろ3ａ2と裏生地3ｂの両サイドの外側シールしろ3ｂ2が接着される構造とする。
図５は容器外郭１側面に手袋５を接着した図１のＡ-Ａ方向から見た断面図である。容器外郭１に空けられた孔13ｅに手袋５を熱溶着させて、作業者の手Ｔが汚染されない様に保護される。
【手続補正２】
【補正対象書類名】明細書
【補正対象項目名】０００８
【補正方法】変更
【補正の内容】
【０００８】
【図１】本考案の衛生作業用容器の外形を示す斜視図である。
【図２】容器外郭を構成するフィルムの展開図である。
【図３】空洞骨格体の展開図である。
【図４】図３のＢ−Ｂから見た断面図である。
【図５】図１のＡ-Ａから見た断面図である。
【手続補正３】
【補正対象書類名】明細書
【補正対象項目名】０００９
【補正方法】変更
【補正の内容】
【０００９】
１  容器外郭
２  空間部
３  空洞骨格部
３Ｘ  下辺空洞部
３Ｙ  頂部空洞
３Ｚ  左右側辺空洞
４  逆止弁
５  手袋
６  補助孔小
７  補助孔大
８  補助孔中
Ｘ  衛生容器本体
Ｔ  作業者の手
【手続補正４】
【補正対象書類名】図面
【補正対象項目名】図６
【補正方法】削除
【補正の内容】